(57)【要約】【課題】ダブルスクリーン反転構造及び端末の提供。【解決手段】ダブルスクリーン反転構造及び端末であって、前記ダブルスクリーン反転構造は第１スクリーン部材、第２スクリーン部材及び少なくとも１つの回転軸部材を備え、前記第１スクリーン部材と前記第２スクリーン部材とは前記少なくとも１つの回転軸部材によって接続されるとともに、前記第１スクリーン部材と前記第２スクリーン部材はいずれも前記少なくとも１つの回転軸部材を中心に回転するように設置され、前記第１スクリーン部材と前記第２スクリーン部材との間の角度が１８０度に達した場合、前記少なくとも１つの回転軸部材を介して、前記第１スクリーン部材を前記第２スクリーン部材から離れる方向に所定の距離だけ摺動させ、前記第１スクリーン部材と前記第２スクリーン部材との間の挟角が任意の角度である場合、前記第１スクリーン部材と前記第２スクリーン部材との間が現在の角度を保持するように、前記少なくとも１つの回転軸部材を介して前記第１スクリーン部材と前記第２スクリーン部材を固定する。【選択図】図２１Ａ
2020508419.tif 000002
【特許請求の範囲】
【請求項１】
第１スクリーン部材、第２スクリーン部材及び少なくとも１つの回転軸部材を備え、
前記第１スクリーン部材と前記第２スクリーン部材とは前記少なくとも１つの回転軸部材によって接続されるとともに、前記第１スクリーン部材と前記第２スクリーン部材はいずれも前記少なくとも１つの回転軸部材を中心に回転するように設置され、
前記第１スクリーン部材と前記第２スクリーン部材との間の角度が１８０度に達した場合、前記少なくとも１つの回転軸部材を介して、前記第１スクリーン部材を前記第２スクリーン部材から離れる方向に所定の距離だけ摺動させ、前記第１スクリーン部材と前記第２スクリーン部材との間の挟角が所定の角度である場合、前記第１スクリーン部材と前記第２スクリーン部材との間が現在の角度を保持するように、前記少なくとも１つの回転軸部材を介して前記第１スクリーン部材と前記第２スクリーン部材を固定する、ダブルスクリーン反転構造。
【請求項２】
前記回転軸部材は、取付部と、回動部と、固定部と、摺動部とを備え、
前記回転軸部材は前記取付部を介して前記第１スクリーン部材と前記第２スクリーン部材に固定され、前記回動部、前記固定部及び前記摺動部はいずれも前記取付部に設置され、前記回動部は前記固定部に組み立てられ、前記第１スクリーン部材と第２スクリーン部材は前記回動部を中心に相対的に回動するように設置され、前記固定部は前記第１スクリーン部材と第２スクリーン部材との間の前記挟角を固定するように設置され、前記摺動部は、前記第１スクリーン部材と前記第２スクリーン部材との間の角度が１８０度に達した場合、前記第１スクリーン部材を前記第２スクリーン部材から離れる方向に所定の距離だけ摺動させるように設置される、請求項１に記載のダブルスクリーン反転構造。
【請求項３】
前記取付部は、固定ブラケット一、固定ブラケット二、固定ブラケット三及び固定ブラケット四を有し、
前記回動部は、軸心を有し、
前記固定部は、カム一、カム二及びばね一を有し、
前記摺動部は、摺動板軸一、摺動板及び摺動板軸二を有し、
前記軸心は前記カム一を貫通するとともに、前記軸心の第１端部における方形体は前記カム一の方形溝に配置され、前記軸心は前記カム二を貫通するとともに、前記カム一の第１カム弧状面は前記カム二の第２カム弧状面と合致し、前記軸心は前記ばね一を貫通し、前記ばね一の第１端部は前記カム二の平面に当接され、前記ばね一は前記軸心に嵌められ、かつ前記ばねは前記固定ブラケット三の貫通孔内に設置され、前記摺動板軸一が前記カム一の異形溝に挿入され、前記摺動板が前記摺動板軸一に嵌められ、前記軸心の第２端部が前記固定ブラケット四の円孔に挿入され、前記軸心と前記摺動板軸一の第２端部が前記固定ブラケット四の異形孔に挿入され、前記軸心の第２端部と前記固定ブラケット四が加締め接続され、前記摺動板軸二は前記摺動板を貫通し、前記固定ブラケット一は前記摺動板軸二の第１端部に嵌められ、前記固定ブラケット二は前記摺動板軸二の第２端部に嵌められ、前記カム一における異形ボスが前記固定ブラケット一における異形溝に挿入され、前記固定ブラケット四における異形ボスが前記固定ブラケット二における異形溝に挿入され、前記固定ブラケット一は、前記固定ブラケット二に接続されるとともに、前記固定ブラケット一と前記固定ブラケット二との間には、前記固定ブラケット一と前記固定ブラケット二を閉じる力が予め設けられており、前記固定ブラケット二に接続される、請求項２に記載のダブルスクリーン反転構造。
【請求項４】
前記第１スクリーン部材と前記第２スクリーン部材との間の角度が１８０度に達した場合、前記回転軸部材における前記摺動板軸二の第１端部は、前記第１スクリーン部材が受けた第１方向の力によって、前記固定ブラケット一の長溝内で摺動可能とされ、前記摺動板軸二の第２端部は、前記第１スクリーン部材が受けた第１方向の力によって、前記固定ブラケット二の長溝内で摺動可能とされ、前記固定ブラケット四における異形ボスは前記固定ブラケット一の異形溝内で摺動可能とされ、前記カム一における異形ボスは前記固定ブラケット二の異形溝内で摺動可能とされることによって、前記第１スクリーン部材を前記第２スクリーン部材から離れる方向に所定の距離だけ摺動させるようにされ、ここで、前記第１方向は、前記第１スクリーン部材が前記第２スクリーン部材から離れる方向とされる、請求項３に記載のダブルスクリーン反転構造。
【請求項５】
前記第１スクリーン部材を前記第２スクリーン部材から離れる方向に所定の距離だけ摺動させた後、前記第１スクリーン部材と前記第２スクリーン部材との間の挟角が所定の角度になるまで回転すると、前記軸心は、回転方向によって、前記カム一と前記カム二を連れ回りさせるとともに、前記ばね一を変形させ、前記第１スクリーン部材と前記第２スクリーン部材との間が現在の角度を保持するように、前記変形によって生成された力によって前記第１スクリーン部材と前記第２スクリーン部材を固定する、請求項３に記載のダブルスクリーン反転構造。
【請求項６】
前記第１スクリーン部材を前記第２スクリーン部材から離れる方向に所定の距離だけ摺動させた後、前記第１スクリーン部材と前記第２スクリーン部材との間の挟角を所定の角度になるまで続けて増加させると、前記ばね一が圧縮されることによって生じた弾性力によって、前記カム一とカム二との間に摩擦力が発生し、前記摩擦力によって、前記第１スクリーン部材と前記第２スクリーン部材とが現在の角度を保持するようにする、請求項３に記載のダブルスクリーン反転構造。
【請求項７】
前記少なくとも１つの回転軸部材が閉じられた時、前記少なくとも１つの回転軸部材は、前記取付部の前記固定ブラケット一及び前記固定ブラケット二と前記取付部の前記固定ブラケット三及び前記固定ブラケット四との間の閉鎖角度を負数に設定することによって、前記第１スクリーン部材と前記第２スクリーン部材に対して引っ張り力を与え、前記第１スクリーン部材と前記第２スクリーン部材との間に閉鎖力が存在するようにして、ここで、前記閉鎖角度を負数に設定するとは、前記第２スクリーン部材に接近するように前記回転軸部材を介して第１スクリーン部材を回転させた後、前記第２スクリーン部材に接近する方向に沿って前記所定の角度になるまで続けて回転させることを意味する、請求項３に記載のダブルスクリーン反転構造。
【請求項８】
前記少なくとも１つの回転軸部材は、第１回転軸部材と第２回転軸部材を有し、前記第１スクリーン部材と前記第２スクリーン部材はいずれも前記第１回転軸部材及び第２回転軸部材に接続され、かつ第１回転軸部材と第２回転軸部材の回転方向は反対である、請求項１に記載のダブルスクリーン反転構造。
【請求項９】
前記所定の角度は１８０°より大きく２２５°以下である、請求項１に記載のダブルスクリーン反転構造。
【請求項１０】
請求項１〜９のいずれか１項に記載のダブルスクリーン反転構造を備える端末。
【発明の詳細な説明】
【技術分野】
【０００１】
本開示は電子装置技術に関し、特にダブルスクリーン反転構造及び端末に関するものである。
【背景技術】
【０００２】
ダブルスクリーン端末構造においては、前面と背面のダブルスクリーン、すなわち互いに反対側に配置された２つのディスプレイスクリーンは、反転する角度が１８０度しかないため、ダブルスクリーンを反転させると、前面と背面のダブルスクリーンが同一平面上にあり、端末の画面表示面積が増加することになる。しかし、ダブルスクリーン端末の前面と背面のダブルスクリーンが同一平面上にある時、端末が占める面積が大きくなり、机などのような端末を配置する場所が必要とされ、操作が不便である。
【発明の概要】
【発明が解決しようとする課題】
【０００３】
本実施例では、ダブルスクリーンの反転可能な角度を増大させ、より適切な視覚的角度を提供でき、操作が便利なダブルスクリーン反転構造及び端末が提供される。
【課題を解決するための手段】
【０００４】
第一側面によれば、本実施例では、第１スクリーン部材、第２スクリーン部材及び少なくとも１つの回転軸部材を備え、
前記第１スクリーン部材と前記第２スクリーン部材とは前記少なくとも１つの回転軸部材によって接続されるとともに、前記第１スクリーン部材と前記第２スクリーン部材はいずれも前記少なくとも１つの回転軸部材を中心に回転するように設置され、
前記第１スクリーン部材と前記第２スクリーン部材との間の角度が１８０度に達した場合、前記少なくとも１つの回転軸部材を介して、前記第１スクリーン部材を前記第２スクリーン部材から離れる方向に所定の距離だけ摺動させ、前記第１スクリーン部材と前記第２スクリーン部材との間の挟角が所定の角度である場合、前記第１スクリーン部材と前記第２スクリーン部材との間が現在の角度を保持するように、前記少なくとも１つの回転軸部材を介して前記第１スクリーン部材と前記第２スクリーン部材を固定する、ダブルスクリーン反転構造が提供される。
【０００５】
好ましくは、前記回転軸部材は、取付部と、回動部と、固定部と、摺動部とを備え、
前記回転軸部材は前記取付部を介して前記第１スクリーン部材と前記第２スクリーン部材に固定され、前記回動部、前記固定部及び前記摺動部はいずれも前記取付部に設置され、前記回動部は前記固定部に組み立てられ、前記第１スクリーン部材と第２スクリーン部材は前記回動部を中心に相対的に回動するように設置され、前記固定部は前記第１スクリーン部材と第２スクリーン部材との間の前記挟角を固定するように設置され、前記摺動部は、前記第１スクリーン部材と前記第２スクリーン部材との間の角度が１８０度に達した場合、前記第１スクリーン部材を前記第２スクリーン部材から離れる方向に所定の距離だけ摺動させるように設置される。
【０００６】
好ましくは、前記取付部は、固定ブラケット一、固定ブラケット二、固定ブラケット三及び固定ブラケット四を有し、
前記回動部は、軸心を有し、
前記固定部は、カム一、カム二及びばね一を有し、
前記摺動部は、摺動板軸一、摺動板及び摺動板軸二を有し、
前記軸心は前記カム一を貫通するとともに、前記軸心の第１端部における方形体は前記カム一の方形溝に配置され、前記軸心は前記カム二を貫通するとともに、前記カム一の第１カム弧状面は前記カム二の第２カム弧状面と合致し、前記軸心は前記ばね一を貫通し、前記ばね一の第１端部は前記カム二の平面に当接され、前記ばね一は前記軸心に嵌められ、かつ前記ばねは前記固定ブラケット三の貫通孔内に設置され、前記摺動板軸一が前記カム一の異形溝に挿入され、前記摺動板が前記摺動板軸一に嵌められ、前記軸心の第２端部が前記固定ブラケット四の円孔に挿入され、前記軸心と前記摺動板軸一の第２端部が前記固定ブラケット四の異形孔に挿入され、前記軸心の第２端部と前記固定ブラケット四が加締め接続され、前記摺動板軸二は前記摺動板を貫通し、前記固定ブラケット一は前記摺動板軸二の第１端部に嵌められ、前記固定ブラケット二は前記摺動板軸二の第２端部に嵌められ、前記カム一における異形ボスが前記固定ブラケット一における異形溝に挿入され、前記固定ブラケット四における異形ボスが前記固定ブラケット二における異形溝に挿入され、前記固定ブラケット一は、前記固定ブラケット二に接続されるとともに、前記固定ブラケット一と前記固定ブラケット二との間には、前記固定ブラケット一と前記固定ブラケット二を閉じる力が予め設けられており、前記固定ブラケット二に接続される。
【０００７】
好ましくは、前記第１スクリーン部材と前記第２スクリーン部材との間の角度が１８０度に達した場合、前記回転軸部材における前記摺動板軸二の第１端部は、前記第１スクリーン部材が受けた第１方向の力によって、前記固定ブラケット一の長溝内で摺動可能とされ、前記摺動板軸二の第２端部は、前記第１スクリーン部材が受けた第１方向の力によって、前記固定ブラケット二の長溝内で摺動可能とされ、前記固定ブラケット四における異形ボスは前記固定ブラケット一の異形溝内で摺動可能とされ、前記カム一における異形ボスは前記固定ブラケット二の異形溝内で摺動可能とされることによって、前記第１スクリーン部材を前記第２スクリーン部材から離れる方向に所定の距離だけ摺動させるようにされ、ここで、前記第１方向は、前記第１スクリーン部材が前記第２スクリーン部材から離れる方向とされる。
【０００８】
好ましくは、前記第１スクリーン部材を前記第２スクリーン部材から離れる方向に所定の距離だけ摺動させた後、前記第１スクリーン部材と前記第２スクリーン部材との間の挟角が所定の角度になるまで回転すると、前記軸心は、回転方向によって、前記カム一と前記カム二を連れ回りさせるとともに、前記ばね一を変形させ、前記第１スクリーン部材と前記第２スクリーン部材との間が現在の角度を保持するように、前記変形によって生成された力によって前記第１スクリーン部材と前記第２スクリーン部材を固定する。
【０００９】
好ましくは、前記第１スクリーン部材を前記第２スクリーン部材から離れる方向に所定の距離だけ摺動させた後、前記第１スクリーン部材と前記第２スクリーン部材との間の挟角を所定の角度になるまで続けて増加させると、前記ばね一が圧縮されることによって生じた弾性力によって、前記カム一とカム二との間に摩擦力が発生し、前記摩擦力によって、前記第１スクリーン部材と前記第２スクリーン部材とが現在の角度を保持するようにする。
【００１０】
好ましくは、前記少なくとも１つの回転軸部材が閉じられた時、前記少なくとも１つの回転軸部材は、前記取付部の前記固定ブラケット一及び前記固定ブラケット二と前記取付部の前記固定ブラケット三及び前記固定ブラケット四との間の閉鎖角度を負数に設定することによって、前記第１スクリーン部材と前記第２スクリーン部材に対して引っ張り力を与え、前記第１スクリーン部材と前記第２スクリーン部材との間に閉鎖力が存在するようにして、ここで、前記閉鎖角度を負数に設定するとは、前記第２スクリーン部材に接近するように前記回転軸部材を介して第１スクリーン部材を回転させた後、前記第２スクリーン部材に接近する方向に沿って前記所定の角度になるまで続けて回転させることを意味する。
【００１１】
好ましくは、前記少なくとも１つの回転軸部材は、第１回転軸部材と第２回転軸部材を有し、前記第１スクリーン部材と前記第２スクリーン部材はいずれも前記第１回転軸部材及び第２回転軸部材に接続され、かつ第１回転軸部材と第２回転軸部材の回転方向は反対である。
【００１２】
好ましくは、前記所定の角度は１８０°より大きく２２５°以下である。
【００１３】
第二側面によれば、本実施例では、上記のいずれか１項に記載のダブルスクリーン反転構造を備える端末が提供される。
【００１４】
本実施例によって提供されるダブルスクリーン反転構造及び端末は、続けて反転して所定の角度に固定することができ、ダブルスクリーンの反転角度を増大させ、より適切な視覚的角度を提供でき、操作が便利になる。
【図面の簡単な説明】
【００１５】
【図１Ａ】本実施例による第１スクリーン部材の正面図である。
【図１Ｂ】本実施例による第１スクリーン部材の右側面図である。
【図１Ｃ】本実施例による第１スクリーン部材の背面図である。
【図２Ａ】本実施例による第２スクリーン部材の正面図である。
【図２Ｂ】本実施例による第２スクリーン部材の左側面図である。
【図２Ｃ】本実施例による第２スクリーン部材の背面図である。
【図３Ａ】本実施例による回転軸部材の正面図である。
【図３Ｂ】本実施例による回転軸部材の左側面図である。
【図３Ｃ】本実施例による回転軸部材の背面図である。
【図４Ａ】本実施例による固定ブラケット一の正面図である。
【図４Ｂ】本実施例による固定ブラケット一の左側面図である。
【図４Ｃ】本実施例による固定ブラケット一の背面図である。
【図５Ａ】本実施例による固定ブラケット二の正面図である。
【図５Ｂ】本実施例による固定ブラケット二の右側面図である。
【図５Ｃ】本実施例による固定ブラケット二の背面図である。
【図６Ａ】本実施例による固定ブラケット三の正面図である。
【図６Ｂ】本実施例による固定ブラケット三の平面図である。
【図６Ｃ】本実施例による固定ブラケット三の左側面図である。
【図７Ａ】本実施例による固定ブラケット四の正面図である。
【図７Ｂ】本実施例による固定ブラケット四の左側面図である。
【図７Ｃ】本実施例による固定ブラケット四の背面図である。
【図８Ａ】本実施例によるカム一の正面図である。
【図８Ｂ】本実施例によるカム一の左側面図である。
【図８Ｃ】本実施例によるカム一の背面図である。
【図９Ａ】本実施例によるカム二の正面図である。
【図９Ｂ】本実施例によるカム二の左側面図である。
【図９Ｃ】本実施例によるカム二の背面図である。
【図１０Ａ】本実施例によるばね一の正面図である。
【図１０Ｂ】本実施例によるばね一の左側面図である。
【図１０Ｃ】本実施例によるばね一の背面図である。
【図１１Ａ】本実施例による軸心一の正面図である。
【図１１Ｂ】本実施例による軸心一の左側面図である。
【図１２Ａ】本実施例による摺動板軸一の左側面図である。
【図１２Ｂ】本実施例による摺動板軸一の正面図である。
【図１２Ｃ】本実施例による摺動板軸一の右側面図である。
【図１３Ａ】本実施例による摺動板構造の正面図である。
【図１３Ｂ】本実施例による摺動板構造の左側面図である。
【図１４Ａ】本実施例による摺動板軸二の左側面図である。
【図１４Ｂ】本実施例による摺動板軸二の正面図である。
【図１４Ｃ】本実施例による摺動板軸二の右側面図である。
【図１５】本実施例による回転軸部材の分解構造を模式的に示す図である。
【図１６】本実施例による回転軸部材の組み立てを模式的に示す図である。
【図１７】本実施例による回転軸部材の組み立て完了効果を模式的に示す図である。
【図１８Ａ】本実施例による他の回転軸部材の正面図である。
【図１８Ｂ】本実施例による他の回転軸部材の左側面図である。
【図１８Ｃ】本実施例による他の回転軸部材の背面図である。
【図１９Ａ】本実施例による回転軸部材同士が１８０度開いた時の正面図である。
【図１９Ｂ】本実施例による回転軸部材同士が１８０度開いた時の左側面図である。
【図１９Ｃ】本実施例による回転軸部材同士が１８０度開いた時の背面図である。
【図２０Ａ】本実施例による回転軸部材同士が０度開いた時の正面図である。
【図２０Ｂ】本実施例による回転軸部材同士が０度開いた時の左側面図である。
【図２１Ａ】本実施例による回転軸部材同士が２２５度開いた時の正面図である。
【図２１Ｂ】本実施例による回転軸部材同士が２２５度開いた時の左側面図である。
【図２１Ｃ】本実施例による回転軸部材同士が２２５度開いた時の背面図である。
【符号の説明】
【００１６】
１    第１スクリーン部材
２    第２スクリーン部材
３    回転軸部材
１.１、１.２、１.３、１.４    ネジ孔
２.１、２.２、２.３、２.４    ネジ孔
３.１、４.１    固定ブラケット一
３.１.１    ネジ孔
３.１.２    固定ブラケット一の嵌合溝
３.１.３    固定ブラケット一の長溝
３.１.４    固定ブラケット一の異形溝
３.２.１    ネジ孔
３.２、４.２    固定ブラケット二
３.２.２    前記固定ブラケット二の嵌合溝
３.２.３    固定ブラケット二の長溝
３.２.４    固定ブラケット二の異形溝
３.３、４.３    固定ブラケット三
３.３.１    ネジ孔
３.３.２    ネジ孔
３.３.３    固定ブラケット三の貫通孔
３.４、４.４    固定ブラケット四
３.４.１    貫通孔
３.４.２    異形溝
３.４.３    異形貫通孔
３.４.４    固定ブラケット四における異形ボス
３.５    カム一
４.５    カム三
３.５.１    第１カム弧状面
３.５.２    異形溝
３.５.３    異形貫通孔
３.５.４    カム一における異形ボス
３.６    カム二
４.６    カム四
３.６.１    第２カム弧状面
３.６.２    カム貫通孔
３.７    ばね一
４.７    ばね二
３.８、４.８    軸心一
３.８.１    芯金ロッド
３.８.２    芯金係合部
３.９、４.９    摺動板軸一
３.９.１    軸扁平部
３.１０、４.１０    摺動板
３.１０.１    摺動板孔
３.１１、４.１１    摺動板軸二
３.１１.１    摺動板軸左扁平部
３.１１.２    摺動板軸右扁平部
【発明を実施するための形態】
【００１７】
図１Ａ〜図３Ｃを参照しながら本実施例によるダブルスクリーン反転構造を説明する。当該ダブルスクリーン反転構造は、第１スクリーン部材１、第２スクリーン部材２及び少なくとも１つの回転軸部材３を備えてもよい。
【００１８】
前記第１スクリーン部材１と前記第２スクリーン部材２とは前記少なくとも１つの回転軸部材３によって接続されるとともに、前記第１スクリーン部材１と前記第２スクリーン部材２はいずれも前記少なくとも１つの回転軸部材３を中心に回転可能とされる。ここで、前記第１スクリーン部材１と前記第２スクリーン部材２との間の角度が１８０度に達した場合、前記少なくとも１つの回転軸部材３を介して、前記第１スクリーン部材１を前記第２スクリーン部材２から離れる方向に所定の距離だけ摺動させる。ここで、前記第１スクリーン部材１と前記第２スクリーン部材２との間の角度が１８０度となると、前記第１スクリーン部材１の第１側辺と前記第２スクリーン部材２の第２側辺との間の間隔が小さすぎて、前記第１スクリーン部材１と前記第２スクリーン部材２のそれ以上の反転が制限される。そこで、上記のような摺動によって、前記第１側辺と前記第２側辺との間の間隔を増大させ、前記第１スクリーン部材１と前記第２スクリーン部材２のそれ以上の反転が可能となる。そして、前記第１スクリーン部材１と前記第２スクリーン部材２との間の挟角が任意の角度である場合、前記第１スクリーン部材１と前記第２スクリーン部材２との間が現在の角度を保持するように、前記少なくとも１つの回転軸部材３を介して前記第１スクリーン部材１と前記第２スクリーン部材２を固定する。
【００１９】
一つの実施例では、前記回転軸部材３は前記第１スクリーン部材１と前記第２スクリーン部材２に固定され、前記回転軸部材３は前記第１スクリーン部材１と前記第２スクリーン部材２との間の角度を０度から１８０度に直接反転させるために用いられる。また、第１スクリーン部材１と第２スクリーン部材２との間の角度が１８０度に達すると、前記少なくとも１つの回転軸部材３は、外力の作用によって前記第１スクリーン部材１を第２スクリーン部材２から離れる方向に摺動させることができ、前記第１スクリーン部材１と前記第２スクリーン部材２との間の反転角度が１８０度に達した後も再度反転させることができ、そして反転後の反転角度に固定することができる。
【００２０】
その過程で、回転軸部材３の数は少なくとも１つであり、本実施例では２つの回転軸部材の場合を例とする。また、外力の作用によって第１スクリーン部材１を第２スクリーン部材２から離れる方向に摺動させた後、１８０度から続けて反転させて達する最大角度は２２５度と設定することができる。そのため、前記第１スクリーン部材１と前記第２スクリーン部材２との間の反転角度は０度〜２２５度とすることができる。
【００２１】
回転軸部材３は、取付部と、回動部と、固定部と、摺動部とを備えてもよい。前記回転軸部材３は前記取付部を介して前記第１スクリーン部材１と第２スクリーン部材２に固定される。前記回動部、前記固定部及び前記摺動部はいずれも前記取付部に設置され、前記回動部は前記固定部に組み立てられる。取付部はネジによって前記第１スクリーン部材１と前記第２スクリーン部材２にねじ止めされてもよい。図１Ａから図２Ｃに示される第１スクリーン部材１と第２スクリーン部材２の構造に示すように、回転軸部材３の数は２つであるため、第１スクリーン部材１には４つのネジ孔１.１、１.２、１.３及び１.４が設けられており、第２スクリーン部材２にも４つのネジ孔２.１、２.２、２.３及び２.４が設けられている。第１スクリーン部材１及び第２スクリーン部材２におけるネジ孔のそれぞれは２つの回転軸部材３と固定するために用いられる。
【００２２】
前記第１スクリーン部材１と前記第２スクリーン部材２は前記回動部を介して回転され挟角が形成される。前記第１スクリーン部材１と前記第２スクリーン部材２との間の角度が１８０度に達した場合、前記摺動部によって、前記第１スクリーン部材１を前記第２スクリーン部材２から離れる方向に摺動させ、前記第１スクリーン部材１と前記第２スクリーン部材２との間の挟角が１８０度より大きくなった場合、前記固定部によって、前記第１スクリーン部材１と前記第２スクリーン部材２との間の現在の角度を保持する。
【００２３】
好ましくは、図３Ａ〜図３Ｃに示すように、１つの回転軸部材３では、前記取付部は、固定ブラケット一３.１、固定ブラケット二３.２、固定ブラケット三３.３及び固定ブラケット四３.４を備えてもよい。前記回動部は軸心一３.８を備えてもよい。前記固定部は、カム一３.５、カム二３.６及びばね一３.７を備えてもよい。前記摺動部は摺動板軸一３.９、摺動板３.１０及び摺動板軸二３.１１を備えてもよい。
【００２４】
一つの実施例では、回転軸部材３の構成要素は、それぞれ図４Ａ〜図１４Ｃに示すとおりであり、図１５に示す回転軸部材３の分解模式図と合わせて見ると、回転軸部材３の構成要素は、具体的に以下のように組み立てられていることがわかる。前記軸心一３.８は前記カム一３.５を貫通するとともに、前記軸心一３.８の第１端部における方形体は前記カム一３.５の方形溝に配置される。前記軸心一３.８は前記カム二３.６を貫通するとともに、前記カム一３.５の第１カム弧状面３.５.１は前記カム二３.６の第２カム弧状面３.６.１と合致する。前記軸心一３.８はさらに前記ばね一３.７を貫通し、前記ばね一３.７は前記カム二３.６の平面に当接され、前記ばね一３.７は前記軸心一３.８に嵌められるとともに、前記ばね一３.７が嵌められている前記軸心一３.８が前記固定ブラケット三３.３の貫通孔３.３.３内に挿入される。前記軸心一３.８の第２端部が前記固定ブラケット四３.４の円孔に挿入される。前記摺動板軸一３.９の第１端部が前記カム一３.５の異形溝３.５.３に挿入され、前記摺動板３.１０が前記摺動板軸一３.９に嵌められる。前記摺動板軸一３.９の第２端部が前記固定ブラケット四３.４の異形孔に挿入され、前記軸心一３.８の第２端部と前記固定ブラケット四３.４が加締めによって接続される。前記摺動板軸二３.１１は前記摺動板３.１０を貫通する。前記固定ブラケット一３.１は前記摺動板軸二３.１１の第１端部に嵌められ、前記固定ブラケット二３.２は前記摺動板軸二３.１１の第２端部に嵌められ、前記カム一３.５における異形ボス３.５.４が前記固定ブラケット一３.１における異形溝３.１.４に挿入され、前記固定ブラケット四３.４における異形ボス３.４.４も前記固定ブラケット二３.２における異形溝３.２.４に挿入される。前記固定ブラケット一３.１は前記固定ブラケット二３.２を締め付けるとともに、前記固定ブラケット二３.２に接続される。
【００２５】
好ましくは、前記第１スクリーン部材１と前記第２スクリーン部材２との間の角度が１８０度に達した場合、前記回転軸部材３における前記摺動板軸二３.１１の両端は、前記第１スクリーン部材１が受けた第１方向の力によって、前記固定ブラケット一３.１の長溝３.１.３及び前記固定ブラケット二３.２の長溝３.２.３内で摺動可能とされ、前記固定ブラケット四３.４における異形ボス３.４.４は前記固定ブラケット一３.１の異形溝３.１.４内で摺動可能とされ、前記カム一３.５における異形ボス３.５.４は前記固定ブラケット二３.２の異形溝３.２.４内で摺動可能とされることによって、前記第１スクリーン部材１を前記第２スクリーン部材２から離れる方向に所定の距離だけ摺動させるようにする。ここで、前記第１方向は、前記第１スクリーン部材１が前記第２スクリーン部材２から離れる方向とされる。
【００２６】
好ましくは、前記第１スクリーン部材１を前記第２スクリーン部材２から離れる方向に所定の距離だけ摺動させた後、前記第１スクリーン部材１と前記第２スクリーン部材２との間の挟角が任意の角度になるまで回転すると、前記軸心一３.８は、回転方向によって、前記カム一３.５と前記カム二３.６を連れ回りさせるとともに、前記ばね一３.７を変形させ、前記第１スクリーン部材１と前記第２スクリーン部材２との間が現在の角度を保持するように、変形によって生成された力によって前記第１スクリーン部材１と前記第２スクリーン部材２を固定する。
【００２７】
好ましくは、前記ばね一３.７を変形させることによって生じた弾性力によって、カム一３.５とカム二３.６との間に押し合う力が発生し、前記カム一３.５の第１カム弧状面３.５.１とカム二３.６の第２カム弧状面３.６.１との間の摩擦力によって、第１スクリーン部材１と第２スクリーン部材２とを現在の角度に固定する。
【００２８】
好ましくは、図１６に示すように、前記固定ブラケット一３.１と前記固定ブラケット二３.２とはレーザスポット溶接によって互いに固定され、前記ブラケット一３.１の嵌合溝３.１.２は前記固定ブラケット二３.２の嵌合溝３.２.２に接続される。
【００２９】
あるいは、前記ブラケット一３.１の嵌合溝３.１.２と前記固定ブラケット二３.２の嵌合溝３.２.２は加締め或いはネジによって接続されている。
【００３０】
組み立て完了後の回転軸部材は図１７に示す。
【００３１】
回転軸部材の数が２つである場合、図１８Ａ〜図１８Ｃに示すように、他方の回転軸部材４は、同様に、固定ブラケット一４.１、固定ブラケット二４.２、固定ブラケット三４.３、固定ブラケット四４.４、カム三４.５、カム四４.６、ばね二４.７、軸心一４.８、摺動板軸一４.９、摺動板４.１０及び摺動板軸二４.１１を備える。
【００３２】
一つの実施例では、他方の回転軸部材４の構成要素は、以下のように組み立てられている。前記軸心一４.８は前記カム三４.５を貫通するとともに、前記軸心一４.８の一端における方形体は前記カム三４.５の方形溝に配置される。前記軸心一４.８は前記カム四４.６を貫通するとともに、前記カム三４.５は前記カム四４.６の弧状面と合致する。前記軸心一４.８はさらに前記ばね一４.７を貫通し、前記ばね二４.７は前記カム四４.６の平面に当接され、前記ばね二４.７は前記軸心一４.８に嵌められた上に、前記固定ブラケット三４.３に組み立てられている。前記カム三４.５の異形溝に前記摺動板軸一４.９が挿入され、前記摺動板４.１０が前記摺動板軸一４.９に嵌められる。前記軸心一４.８が前記固定ブラケット四４.４の円孔に挿入され、それぞれに、異形孔に前記軸心一４.８が嵌められ、前記摺動板軸一４.９が前記固定ブラケット四４.４の異形孔に挿入され、前記軸心一４.８の前記固定ブラケット四４.４に近接する一端が加締めされる。前記摺動板軸二４.１１は前記摺動板４.１０を貫通する。前記固定ブラケット一４.１は前記摺動板軸二４.１１の第１端部に嵌められ、前記固定ブラケット二４.２はそれぞれ前記摺動板軸二４.１１の両端に嵌められ、前記カム三４.５における異形ボスが前記固定ブラケット一４.１における異形溝に挿入され、前記固定ブラケット四４.４における異形ボスが前記固定ブラケット二４.２における異形溝に挿入される。前記固定ブラケット一４.１と前記固定ブラケット二４.２を締め付け接続する。一つの実施例では、回転軸部材の数が２つである場合、図１９Ａ〜図１９Ｂに示すように、回転軸部材３と他方の回転軸部材４は共に１８０°を開き、回転軸部材３と他方の回転軸部材４がネジによって第１スクリーン部材１と第２スクリーン部材２にねじ止めされ、図面中の５１、５２、５３、５４、５５、５６、５７および５８に示されるように、各回転軸部材はそれぞれ２個のネジによって第１スクリーン部材及び第２スクリーン部材にねじ止めされ、合わせて８個のネジがある。
【００３３】
好ましくは、前記少なくとも１つの回転軸部材３が閉じられた時、前記少なくとも１つの回転軸部材３は、前記第１スクリーン部材１及び前記第２スクリーン部材２に対して引っ張り力を与え、前記第１スクリーン部材１と前記第２スクリーン部材２との間に閉鎖力が存在するようにする。
【００３４】
一つの実施例では、少なくとも１つの回転軸部材３の前記取付部の前記固定ブラケット一３.１及び前記固定ブラケット二３.２と前記取付部の前記固定ブラケット三３.３及び前記固定ブラケット四３.４との間の閉鎖角度の数値を、例えば−５度のような負数に設定してもよく、これによって前記第１スクリーン部材と前記第２スクリーン部材との間に閉鎖力が存在し、第１スクリーン部材１と第２スクリーン部材２の閉鎖不安定が回避される。前記閉鎖角度の数値を負数に設定するとは、前記第２スクリーン部材２に接近するように前記回転軸部材３を介して第１スクリーン部材１を回転させた後、すなわち閉鎖角度を０度に近づけた後、続けて前記第２スクリーン部材２に接近する方向に沿って所定の角度、例えば５度回転させることを意味する。
【００３５】
使用中に、第２スクリーン部材２から離れる方向に第１スクリーン部材１を反転させると、少なくとも１つの回転軸部材３及び他方の回転軸部材４はそのまま０度から１８０度に開くことから、回転軸部材が０度から１８０度までＯＮＥ-ＳＴＯＰの開き方式とされていることがわかる。一例として、第１スクリーン部材１及び第２スクリーン部材２が１８０°に開いた状態を図１９Ａに示す。
【００３６】
好ましくは、回転軸部材の軸方向における分力による第１スクリーン部材１の一方への偏りを防止するために、少なくとも１つの回転軸部材３は、第１回転軸部材３と第２回転軸部材４を有し、前記第１スクリーン部材１は、前記第１回転軸部材３及び第２回転軸部材４を介して前記第２スクリーン部材２に接続されるとともに、第１回転軸部材３と第２回転軸部材４の回転方向が逆とされ、これによって、軸方向の分力を相殺して偏りを軽減することができる。この実施例では、第１回転軸部材３におけるカム一３.５に近接する第１端部と、第２回転軸部材４におけるカム三４.５に近接する第２端部とは相対配置又は反対配置されることによって、第１回転軸部材３と第２回転軸部材４の回転方向が逆となるようにされている。
【００３７】
好ましくは、回転軸部材３について言えば、前記第１スクリーン部材１が前記第２スクリーン部材２から離れる外力を受けた場合、前記回転軸部材３の前記摺動板軸二３.１１の両端が前記固定ブラケット一３.１の長溝３.１.３及び前記固定ブラケット二３.２の長溝３.２.３内で摺動することができ、前記固定ブラケット四３.４における異形ボス３.４.４が前記固定ブラケット一３.１の異形溝３.１.４内で摺動することができ、前記カム一３.５における異形ボス３.５.４が前記固定ブラケット二３.２の異形溝３.２.４内で摺動することができる。
【００３８】
同様に、回転軸部材の数が２つである場合、他方の回転軸部材４について言えば、摺動板軸二４.１１の両端が固定ブラケット一４.１の長溝４.１.３及び固定ブラケット二４.２の長溝４.２.３内で摺動し、固定ブラケット四４.４における異形ボス４.４.４が固定ブラケット一の異形溝４.１.４内で摺動し、固定ブラケット四４.４における異形ボス４.４.４が固定ブラケット二４.２の異形溝４.２.４内で摺動する。
【００３９】
回転軸部材３及び他方の回転軸部材４を第１スクリーン部材１と共に第２スクリーン部材２から離れる方向に一定の距離だけ摺動させた後、第１スクリーン部材１を続けて反転させると、第１スクリーン部材１と第２スクリーン部材２との間の開き角度を１８０°〜２２５°の範囲に固定することができ、また、第１スクリーン部材１と第２スクリーン部材２をその角度範囲内の任意の現在反転角度に固定することができる。２２５度を例とする場合は図２１Ａ〜図２１Ｃに示す。これによって、ユーザが当該角度範囲内から適当な視覚的角度を選択することができ、操作が便利となり、視覚的角度からもユーザの習慣により適合になる。
【００４０】
上記の実施例のいずれにおいて、前記第１スクリーン部材は第１ディスプレイスクリーンを有し、前記第２スクリーン部材は第２ディスプレイスクリーンを有する。前記第１ディスプレイスクリーンは前記第１スクリーン部材の外側に配置され、前記第２ディスプレイスクリーンは前記第２スクリーン部材の外側に配置される。
【００４１】
なお、本実施例では、第１スクリーン部材と第２スクリーン部材及び前記のいずれか一項に記載のダブルスクリーン反転構造を備える端末が提供される。
【産業上の利用可能性】
【００４２】
本実施例では、ダブルスクリーンの反転角度を増大させ、より適切な視覚的角度を提供でき、操作が便利なダブルスクリーン反転構造及び端末が提供される。
【図１Ａ】
2020508419.tif 000003
【図１Ｂ】
2020508419.tif 000004
【図１Ｃ】
2020508419.tif 000005
【図２Ａ】
2020508419.tif 000006
【図２Ｂ】
2020508419.tif 000007
【図２Ｃ】
2020508419.tif 000008
【図３Ａ】
2020508419.tif 000009
【図３Ｂ】
2020508419.tif 000010
【図３Ｃ】
2020508419.tif 000011
【図４Ａ】
2020508419.tif 000012
【図４Ｂ】
2020508419.tif 000013
【図４Ｃ】
2020508419.tif 000014
【図５Ａ】
2020508419.tif 000015
【図５Ｂ】
2020508419.tif 000016
【図５Ｃ】
2020508419.tif 000017
【図６Ａ】
2020508419.tif 000018
【図６Ｂ】
2020508419.tif 000019
【図６Ｃ】
2020508419.tif 000020
【図７Ａ】
2020508419.tif 000021
【図７Ｂ】
2020508419.tif 000022
【図７Ｃ】
2020508419.tif 000023
【図８Ａ】
2020508419.tif 000024
【図８Ｂ】
2020508419.tif 000025
【図８Ｃ】
2020508419.tif 000026
【図９Ａ】
2020508419.tif 000027
【図９Ｂ】
2020508419.tif 000028
【図９Ｃ】
2020508419.tif 000029
【図１０Ａ】
2020508419.tif 000030
【図１０Ｂ】
2020508419.tif 000031
【図１０Ｃ】
2020508419.tif 000032
【図１１Ａ】
2020508419.tif 000033
【図１１Ｂ】
2020508419.tif 000034
【図１２Ａ】
2020508419.tif 000035
【図１２Ｂ】
2020508419.tif 000036
【図１２Ｃ】
2020508419.tif 000037
【図１３Ａ】
2020508419.tif 000038
【図１３Ｂ】
2020508419.tif 000039
【図１４Ａ】
2020508419.tif 000040
【図１４Ｂ】
2020508419.tif 000041
【図１４Ｃ】
2020508419.tif 000042
【図１５】
2020508419.tif 000043
【図１６】
2020508419.tif 000044
【図１７】
2020508419.tif 000045
【図１８Ａ】
2020508419.tif 000046
【図１８Ｂ】
2020508419.tif 000047
【図１８Ｃ】
2020508419.tif 000048
【図１９Ａ】
2020508419.tif 000049
【図１９Ｂ】
2020508419.tif 000050
【図１９Ｃ】
2020508419.tif 000051
【図２０Ａ】
2020508419.tif 000052
【図２０Ｂ】
2020508419.tif 000053
【図２１Ａ】
2020508419.tif 000054
【図２１Ｂ】
2020508419.tif 000055
【図２１Ｃ】
2020508419.tif 000056
【手続補正書】
【提出日】令和1年8月19日(2019.8.19)
【手続補正１】
【補正対象書類名】特許請求の範囲
【補正対象項目名】請求項３
【補正方法】変更
【補正の内容】
【請求項３】
前記取付部は、固定ブラケット一、固定ブラケット二、固定ブラケット三及び固定ブラケット四を有し、
前記回動部は、軸心を有し、
前記固定部は、カム一、カム二及びばね一を有し、
前記摺動部は、摺動板軸一、摺動板及び摺動板軸二を有し、
前記軸心は前記カム一を貫通するとともに、前記軸心の第１端部における方形体は前記カム一の方形溝に配置され、前記軸心は前記カム二を貫通するとともに、前記カム一の第１カム弧状面は前記カム二の第２カム弧状面と合致し、前記軸心は前記ばね一を貫通し、前記ばね一の第１端部は前記カム二の平面に当接され、前記ばね一は前記軸心に嵌められ、かつ前記ばね一は前記固定ブラケット三の貫通孔内に設置され、前記摺動板軸一が前記カム一の異形溝に挿入され、前記摺動板が前記摺動板軸一に嵌められ、前記軸心の第２端部が前記固定ブラケット四の円孔に挿入され、前記摺動板軸一の第２端部が前記固定ブラケット四の異形孔に挿入され、前記軸心の第２端部と前記固定ブラケット四が加締め接続され、前記摺動板軸二は前記摺動板を貫通し、前記固定ブラケット一は前記摺動板軸二の第１端部に嵌められ、前記固定ブラケット二は前記摺動板軸二の第２端部に嵌められ、前記カム一における異形ボスが前記固定ブラケット一における異形溝に挿入され、前記固定ブラケット四における異形ボスが前記固定ブラケット二における異形溝に挿入され、前記固定ブラケット一は、前記固定ブラケット二に接続されるとともに、前記固定ブラケット一と前記固定ブラケット二との間には、前記固定ブラケット一と前記固定ブラケット二を閉じる力が予め設けられている、請求項２に記載のダブルスクリーン反転構造。
【手続補正２】
【補正対象書類名】明細書
【補正対象項目名】０００６
【補正方法】変更
【補正の内容】
【０００６】
好ましくは、前記取付部は、固定ブラケット一、固定ブラケット二、固定ブラケット三及び固定ブラケット四を有し、
前記回動部は、軸心を有し、
前記固定部は、カム一、カム二及びばね一を有し、
前記摺動部は、摺動板軸一、摺動板及び摺動板軸二を有し、
前記軸心は前記カム一を貫通するとともに、前記軸心の第１端部における方形体は前記カム一の方形溝に配置され、前記軸心は前記カム二を貫通するとともに、前記カム一の第１カム弧状面は前記カム二の第２カム弧状面と合致し、前記軸心は前記ばね一を貫通し、前記ばね一の第１端部は前記カム二の平面に当接され、前記ばね一は前記軸心に嵌められ、かつ前記ばね一は前記固定ブラケット三の貫通孔内に設置され、前記摺動板軸一が前記カム一の異形溝に挿入され、前記摺動板が前記摺動板軸一に嵌められ、前記軸心の第２端部が前記固定ブラケット四の円孔に挿入され、前記摺動板軸一の第２端部が前記固定ブラケット四の異形孔に挿入され、前記軸心の第２端部と前記固定ブラケット四が加締め接続され、前記摺動板軸二は前記摺動板を貫通し、前記固定ブラケット一は前記摺動板軸二の第１端部に嵌められ、前記固定ブラケット二は前記摺動板軸二の第２端部に嵌められ、前記カム一における異形ボスが前記固定ブラケット一における異形溝に挿入され、前記固定ブラケット四における異形ボスが前記固定ブラケット二における異形溝に挿入され、前記固定ブラケット一は、前記固定ブラケット二に接続されるとともに、前記固定ブラケット一と前記固定ブラケット二との間には、前記固定ブラケット一と前記固定ブラケット二を閉じる力が予め設けられている。
【手続補正３】
【補正対象書類名】明細書
【補正対象項目名】００３２
【補正方法】変更
【補正の内容】
【００３２】
一つの実施例では、他方の回転軸部材４の構成要素は、以下のように組み立てられている。前記軸心一４.８は前記カム三４.５を貫通するとともに、前記軸心一４.８の一端における方形体は前記カム三４.５の方形溝に配置される。前記軸心一４.８は前記カム四４.６を貫通するとともに、前記カム三４.５は前記カム四４.６の弧状面と合致する。前記軸心一４.８はさらに前記ばね二４.７を貫通し、前記ばね二４.７は前記カム四４.６の平面に当接され、前記ばね二４.７は前記軸心一４.８に嵌められた上に、前記固定ブラケット三４.３に組み立てられている。前記カム三４.５の異形溝に前記摺動板軸一４.９が挿入され、前記摺動板４.１０が前記摺動板軸一４.９に嵌められる。前記軸心一４.８が前記固定ブラケット四４.４の円孔に挿入され、前記摺動板軸一４.９が前記固定ブラケット四４.４の異形孔に挿入され、前記軸心一４.８の前記固定ブラケット四４.４に近接する一端が加締めされる。前記摺動板軸二４.１１は前記摺動板４.１０を貫通する。前記固定ブラケット一４.１は前記摺動板軸二４.１１の第１端部に嵌められ、前記固定ブラケット二４.２はそれぞれ前記摺動板軸二４.１１の両端に嵌められ、前記カム三４.５における異形ボスが前記固定ブラケット一４.１における異形溝に挿入され、前記固定ブラケット四４.４における異形ボスが前記固定ブラケット二４.２における異形溝に挿入される。前記固定ブラケット一４.１と前記固定ブラケット二４.２を締め付け接続する。一つの実施例では、回転軸部材の数が２つである場合、図１９Ａ〜図１９Ｂに示すように、回転軸部材３と他方の回転軸部材４は共に１８０°を開き、回転軸部材３と他方の回転軸部材４がネジによって第１スクリーン部材１と第２スクリーン部材２にねじ止めされ、図面中の５１、５２、５３、５４、５５、５６、５７および５８に示されるように、各回転軸部材はそれぞれ２個のネジによって第１スクリーン部材及び第２スクリーン部材にねじ止めされ、合わせて８個のネジがある。
【手続補正４】
【補正対象書類名】明細書
【補正対象項目名】００４１
【補正方法】変更
【補正の内容】
【００４１】
なお、本実施例では、前記のいずれか一項に記載のダブルスクリーン反転構造を備える端末が提供される。
【国際調査報告】
2020508419.tif 000057
2020508419.tif 000058
2020508419.tif 000059
2020508419.tif 000060